(57)【要約】【課題】自転車の車体に取り付けたセンサ部に対してコンピュータ本体を着脱自在に装着した可搬型コンピュータを提供する。【解決手段】コンピュータ本体６ａの表示部２２ａ〜２２ｃの周囲には、操作ボタン２３ａ〜２３ｆを設ける。操作ボタン２３ａ〜２３ｄは、各表示部２２ａ〜２２ｃに対する表示内容の切り替え指令や表示された数値のリセット、センサ部６ｂに対して測定対象となる自転車の車輪径を設定するためなどに使用する。操作ボタン２３ｅ，２３ｆは、計測のスタート／ストップボタンとラップ計測用のボタンである。センサ部６ｂの中央部にコンピュータ本体６ａの収容部３１を設ける。収容部３１には透明なアクリル樹脂の蓋３２を設ける。センサ部６ｂには、コンピュータ本体６ａに設けた操作ボタン２３ａ〜２３ｄと対応する操作ボタン３５ａ〜３５ｄを設ける。コンピュータ本体６ａからセンサ部６ｂに対して非接触で電力を供給する。【選択図】図２
2007099034.tif 000002
【特許請求の範囲】
【請求項１】
計測対象箇所に取り付けられるセンサ部と、このセンサ部に対して着脱自在に装着されたコンピュータ本体とからなる可搬型コンピュータにおいて、
前記センサ部は、電磁誘導波を電力に変換する検波手段と、計測対象箇所の出力を検出する検出手段と、前記検波手段の出力する電力を電源として前記検出手段から出力を送受信データに変換するセンサ部側演算手段と、前記検波手段の出力する電力を電源として前記センサ部とコンピュータ本体との間で送受信データを授受する送受信手段を備え、
前記コンピュータ本体は、コンピュータ本体またはセンサ部に対する入力を受け付ける入力手段と、コンピュータ本体に設けられた電源により動作する電磁誘導波の送出手段と、前記センサ部とコンピュータ本体との間で送受信データを授受する送受信手段と、この送受信手段を介して前記センサ部から受信した送受信データに基づいて表示用データを生成する本体側演算手段と、前記表示用データを表示する表示手段と、を有することを特徴とする可搬型コンピュータ。
【請求項２】
前記センサ部が自転車の車体に取り付けられ、自転車の車輪及びクランクの近傍に設けられてその回転を検出する検出手段と、前記検出手段によって検出された車輪及びクランクの回転数を積算する演算手段と、前記演算手段によって得られた送受信データに基づいて自転車の走行距離、走行スピード、クランク回転数を生成する演算手段と、を有することを特徴とする請求項１に記載の可搬型コンピュータ。
【請求項３】
前記センサ部が、その内部にコンピュータ本体を収容するものであって、その表面にコンピュータ本体に設けられた入力手段をセンサ部外部から操作する操作ボタンを設け、この操作ボタンからの入力信号を前記送受信部を介してコンピュータ本体に送信することを特徴とする請求項１または請求項２に記載の可搬型コンピュータ。
【請求項４】
前記センサ部が、不揮発性メモリによる記憶手段と、該記憶手段の内容を更新する書き換え手段と、該記憶手段の内容を読み出す読み出し手段とを備えることを特徴とする請求項１、請求項２または請求項３に記載の可搬型コンピュータ。
【発明の詳細な説明】
【技術分野】
【０００１】
本発明は、例えばサイクルコンピュータとして使用する可搬型コンピュータに関するものであって、特に、コンピュータをコンピュータ本体とセンサ部との２つの部分から構成し、センサ部を自転車などの測定対象箇所に取り付けておき、コンピュータ本体はこのセンサ部から取り外して、測定対象箇所から離れた場所に持ち運んだり、他の測定対象箇所（他の自転車）に取り付けられている別のセンサ部に装着することを可能としたものである。
【背景技術】
【０００２】
一般に、自転車の走行速度や走行距離等の走行状態を自転車の車輪の回転数から演算するとともに、走行予定距離に対する到着予想時間などを演算する走行状態検出装置（サイクルコンピュータと称する）が知られている。上記サイクルコンピュータは、例えば、車輪の回転数を計測する回転数計測手段と、該回転数計測手段により得られた車輪の回転数と車輪の径とから走行速度や走行距離等の演算を行ないこれを表示する演算表示手段とからなっている。
【０００３】
そして、上記回転数計測手段は、車輪の回転数を計測するために車輪もしくは車軸の近傍に設けられ、演算表示手段は、自転車に乗った人に見やすいように、例えば、ハンドル部分に取り付けられることになるので、両者が別体となり、両者間で信号を送受信する必要がある。そこで、従来、上記回転数計測手段と表示演算手段との間の信号の送受信をケーブルや無線で行なう方式のサイクルコンピュータが提案されている。
【０００４】
図５は、このようなサイクルコンピュータの一例を示すものである。すなわち、自転車１の前輪２もしくは後輪３に取り付けたマグネット４の通過を検出するために、リードスイッチ５をフレーム側に固定し、その接点の開閉をサイクルコンピュータ６に伝えることでスピードもしくは走行距離を表示する。同様に、クランク部７に取り付けたマグネット８の通過を検出するためのリードスイッチ９をフレーム側に固定し、その接点の開閉の状態をサイクルコンピュータ６に伝えることで１分間当たりのペダルの回転数を表示する。この場合、サイクルコンピュータ６に、これらリードスイッチ５，９として作用するリードスイッチの接点の開閉状態を伝える手段としては、ケーブルによる接続もしくは無線による伝送といった手段が用いられてきた。
【０００５】
このように図５の従来技術は、リードスイッチ５，９とコンピュータ６側とをケーブルあるいは無線で接続してデータの伝送を行っているが、ケーブルによる接続では接点部分を設けることが不可避であるため、頻繁に抜き差しを行えばやがては接触不良が生じるという問題が生じ、無線による伝送ではリードスイッチ５，９側に設けた送信機を駆動するための電池の消耗に配慮が必要であった。
【０００６】
また、図５に示す従来技術以外に、このようなサイクルコンピュータに関する発明としては、例えば特許文献１や特許文献２に示すものが従来から提案されている。
【特許文献１】特開平１１-１２９９６４号公報
【特許文献２】特開平０７-１２９８８１号公報
【特許文献３】特開平０７-３３２３４４号公報
【発明の開示】
【発明が解決しようとする課題】
【０００７】
しかしながら、前記特許文献１や特許文献２の発明は、いずれもサイクルコンピュータ全体を自転車に固定するものであるため、他の自転車に取り付ける場合には、コンピュータ全体を取り外して改めて他の自転車に固定する作業が必要であった。しかし、自転車はその車輪の径が機種ごとに異なることも多いため、そのままコンピュータを付け替えて走行すると、速度の表示が実際と異なってしまうため、ユーザはその都度車輪径に関するデータを設定し直す必要があった。
【０００８】
また、特許文献３の発明は、電子腕時計にサイクルコンピュータの機能を付加したものであって、予め自転車にリードスイッチを取り付けておき、電子腕時計をサイクルコンピュータとして使用する場合には、リードスイッチから伸びるケーブルを腕時計に接続することで、電子腕時計の表示画面に自転車の走行速度や走行距離等を表示するものである。しかし、この特許文献３の発明は、可搬型コンピュータとして機能する電子腕時計とリードスイッチ側とが別体となっていても、リードスイッチは、単に車輪などに設けたマグネットの回転によって発生するパルスを電子腕時計に伝達するだけのものであって、その自転車の車輪径に応じたデータを記憶しておく機能はないため、異なった自転車に付け替える場合には、電子腕時計側から改めて車輪径などのデータを設定する必要があった。
【０００９】
さらに、特許文献１から３の発明は、リードスイッチなどの速度検出器とコンピュータ本体とは無線あるいはケーブルによる接続を行っていたため、いずれも前記図５の従来技術と同様な欠点もあった。
【００１０】
本発明は前記のような従来技術の問題点を解決するために提案されたものであって、その目的は、車輪やクランクなどの回転速度を検出するリードスイッチなどのセンサ部とコンピュータ本体とを着脱自在として、コンピュータ本体を他の自転車などの計測箇所に取り付け可能とすると共に、センサ部とコンピュータ本体との間は、電磁誘導式のデータ送受信方式を採用することにより、無接点でしかもセンサ側の電源を不要とした可搬型コンピュータを提供するものである。
【００１１】
また、本発明の他の目的は、センサ部側にも演算手段やメモリなどの記憶手段を設け、センサ部を取り付けた計測箇所のデータ（自転車の車輪径などのデータ）をこの記憶手段に保存可能とすることで、コンピュータ本体を他のセンサ部に装着した場合に、自動的にセンサ部のデータを読み込むことで、コンピュータ本体側の設定を不要とした可搬型コンピュータを提供することにある。
【課題を解決するための手段】
【００１２】
前記の目的を達成するために、請求項１の発明は、計測対象箇所に取り付けられるセンサ部と、このセンサ部に対して着脱自在に装着されたコンピュータ本体とからなる可搬型コンピュータにおいて、前記センサ部は、電磁誘導波を電力に変換する検波手段と、計測対象箇所の出力を検出する検出手段と、前記検波手段の出力する電力を電源として前記検出手段から出力を送受信データに変換するセンサ部側演算手段と、前記検波手段の出力する電力を電源として前記センサ部とコンピュータ本体との間で送受信データを授受する送受信手段を備え、前記コンピュータ本体は、コンピュータ本体またはセンサ部に対する入力を受け付ける入力手段と、コンピュータ本体に設けられた電源により動作する電磁誘導波の送出手段と、前記センサ部とコンピュータ本体との間で送受信データを授受する送受信手段と、この送受信手段を介して前記センサ部から受信した送受信データに基づいて表示用データを生成する本体側演算手段と、前記表示用データを表示する表示手段と、を有することを特徴とする。
【００１３】
前記のような構成を有する請求項１の発明においては、センサ部に電源を有するコンピュータ本体を装着すると、コンピュータ本体の送出手段からの電磁誘導波をセンサ部の検波手段が検出して電力に変換する。その結果、センサ部の各手段はこの変換された電力により作動することになり、センサ部に電源を設けていなくとも、センサ部で検出した計測対象箇所からの出力を本体に送出することが可能になる。
【００１４】
請求項２の発明は、前記請求項１の発明において、前記センサ部が自転車の車体に取り付けられたセンサ部と、自転車の車輪及びクランクの近傍に設けられてその回転を検出する検出手段と、前記検出手段によって検出された車輪及びクランクの回転数を積算するセンサ部側演算手段と、前記センサ部演算手段によって得られた送受信データに基づいて自転車の走行距離、走行スピード、クランク回転数を生成する本体側演算手段と、を有することを特徴とする。
【００１５】
前記のような構成を有する請求項２の発明においては、センサ部を自転車に取り付けると共に、検出手段によって自転車の車輪及びクランクの回転数を検出して、コンピュータ本体に送信するように構成したため、可搬型コンピュータをサイクルコンピュータとして使用することが可能となる。
【００１６】
請求項３の発明は、前記請求項１または請求項２の発明において、前記センサ部が、その内部にコンピュータ本体を収容するものであって、その表面にコンピュータ本体に設けられた入力手段をセンサ部外部から操作する操作ボタンを設け、この操作ボタンからの入力信号を前記送受信部を介してコンピュータ本体に送信することを特徴とする。
【００１７】
前記のような構成を有する請求項３の発明においては、センサ部にコンピュータ本体を装着した状態において、センサ部外部の操作ボタンによってコンピュータ本体に制御信号やデータを入力することが可能となる。
【００１８】
請求項４の発明は、前記請求項１、請求項２または請求項３の発明において、前記センサ部が、不揮発性メモリによる記憶手段と、該記憶手段の内容を更新する書き換え手段と、該記憶手段の内容を読み出す読み出し手段とを備えることを特徴とする。
【００１９】
前記のような構成を有する請求項４の発明においては、センサ部にもおけた不揮発性メモリによる記憶手段にセンサ部を取り付けた計測箇所（例えば自転車）に特有のデータを記憶することができ、しかも本体を取り外したことでセンサ部の電力が断たれた後も不揮発性メモリにそのデータが保存される。その結果、改めて本体を装着した場合に、その計測箇所特有のデータを本体側から設定しなくとも、記憶手段に保存したデータを読み込むことで、その計測箇所に応じた演算や表示を行うことができる。
【発明の効果】
【００２０】
本発明によれば、センサ部は電池などの専用電源を必要とせず、コンピュータ本体とは非接触にて電源の供給を受けセンサ部からのデータの読み取りを行うことが可能であるため、ユーザは接触不良やセンサ部分の電池消耗を気にする必要がなくなる。また、センサ部にデータを書き込むことで、計測箇所（自転車など）の個別データを記憶させておくことが可能であるため、コンピュータ本体の設定を変更せずに誤った速度表示のまま走行することが少なくなる。さらに、センサ部に押しボタンなどの操作部を設けることで、コンピュータ本体の操作部の外部拡張が可能であるため、センサ部への取り付けが簡素になり、これに要する時間を短縮することができる。
【発明を実施するための最良の形態】
【００２１】
（１）全体構成
以下、本発明の実施形態を図１に従って具体的に説明する。図１は、本発明の可搬型コンピュータをサイクルコンピュータに適用したものであって、基本的な構成は従来技術として示した図５と共通するものである。すなわち、従来技術においては、サイクルコンピュータ６が自転車１のフレームに直接固定されているが、本実施形態では、コンピュータ６が自転車１側に取り付けられたセンサ部６ｂと、このセンサ部６ｂに着脱自在に装着されるコンピュータ本体６ａとから構成されている。そして、従来技術においてサイクルコンピュータ６に接続されていたリードスイッチ５，９は、本実施形態ではケーブルを介してセンサ部６ｂに接続されている。
【００２２】
（２）コンピュータ本体の構成
図２の右側は、本実施形態におけるコンピュータ本体６ａの構成を示す平面図である。このコンピュータ本体６ａは、腕時計と同様な形状を有するものであって、ユーザが腕に嵌めて持ち運ぶことができるようにバンド２１を備えている。コンピュータ本体６ａの正面中央部には、液晶ディスプレイによる表示部２２ａ〜２２ｃが設けられている。これらの表示部２２ａ〜２２ｃは、一例として、自転車の速度、クランク回転数（ケイデンス）、走行距離などを表示するものである。なお、表示部２２ａ〜２２ｃが表示する内容はこれに限らず、時刻、ラップタイム、目的地までの距離、予測時間など、サイクルコンピュータが処理する情報の種類に応じて適宜変更可能である。また、本実施形態では、表示部２２ａ〜２２ｃとして３種類の数値表示を行うものを使用したが、表示部の数や形状はこれに限定されるものではなく、表示内容も数字以外の文字や図形を表示することも可能である。
【００２３】
コンピュータ本体６ａにおける前記表示部２２ａ〜２２ｃの周囲には、操作ボタン２３ａ〜２３ｆが設けられている。このうち、表示部の左右にそれぞれ２個ずつ設けられた操作ボタン２３ａ〜２３ｄは、各表示部２２ａ〜２２ｃに対する表示内容の切り替え指令や表示された数値のリセット、センサ部６ｂに対して測定対象となる自転車の車輪径を設定するために使用する。また、表示部の下方に設けられた左右の操作ボタン２３ｅ，２３ｆは、計測のスタート／ストップボタンと、ラップ計測用のボタンである。なお、本実施形態では６個の操作ボタンを設けているが、操作ボタンの数や配置はこれに限定されるものではなく、サイクルコンピュータの機能に応じて適宜変更可能である。また、１つの操作ボタンに複数の機能を割り当てることによってもボタン数は変更できる。
【００２４】
（３）センサ部の構成
図２の左側は、本実施形態におけるセンサ部６ｂの構成を示す平面図である。このセンサ部６ｂは、一例として合成樹脂の成型品によって作られた上面開口型の容器であって、その中央部に前記コンピュータ本体６ａの収容部３１が設けられている。この収容部３１には、透明なアクリル樹脂から形成された蓋３２が設けられており、収容部３１内に収容したコンピュータ本体６ａの表示部２２ａ〜２２ｃを蓋３２を閉じた状態で見ることができるようになっている。また、この蓋３２は、コンピュータ本体６ａの表示部分を覆う形状と寸法を有しているが、コンピュータ本体６ａに設けたスタート／ストップボタン２３ｅと、ラップ計測用のボタン２３ｆは、蓋３２を閉じた状態でも操作が可能なように、覆うことがない形状になっている。
【００２５】
なお、この蓋３２は、センサ部６ｂの片側に設けられたヒンジ部３３を中心としてセンサ部６ｂに対して開閉自在に取り付けられ、ヒンジ部３３の反対側に設けられたフック部３４をセンサ部６ｂの縁に係合させることで、蓋を閉じた状態で係止される。
【００２６】
センサ部６ｂにおける前記収容部３１の四隅には、それぞれ操作ボタン３５ａ〜３５ｄが設けられている。この操作ボタン３５ａ〜３５ｄは、コンピュータ本体６ａに設けられた操作ボタン２３ａ〜２３ｄと対応するものである。すなわち、これら操作ボタン３５ａ〜３５ｄが押圧された場合に、各ボタンからの制御コマンドやデータが、センサ部６ｂ及びコンピュータ本体６ａに設けられた送受信手段を介してコンピュータ本体６ａ側に送信され、コンピュータ本体６ａ側の対応する操作ボタンが押圧された場合と同様な制御コマンドやデータがコンピュータ本体６ａに入力されるものである。
【００２７】
なお、図示していないが、このセンサ部６ｂには、センサ部６ｂを自転車のハンドルなどに固定するための金具やバンドが設けられ、さらに、図３のように、車輪回転検出用のリードスイッチ５及びクランク回転検出用のリードスイッチ９がケーブル１０を介して接続されている。ここで、本実施形態における車輪回転検出用のリードスイッチ５及びクランク回転検出用のリードスイッチ９は、本発明における計測対象箇所の出力を検出する検出手段を構成している。
【００２８】
（４）コンピュータ本体のブロック回路図
前記のような機械的な構成を有するコンピュータ本体６ａとセンサ部６ｂは、これらをサイクルコンピュータとして作用するため並びにコンピュータ本体６ａ側から発信した電磁誘導波によりセンサ部６ｂ側に電力を発生させるための機構及び電気回路を備えている。以下、その構成を、図３及び図４のブロック回路図によって説明する。
【００２９】
図３は、コンピュータ本体６ａの構成を示すブロック図である。このコンピュータ本体６ａは、コンピュータ本体またはセンサ部に対する制御コマンドや各種のデータの入力を受け付ける入力手段４１と、コンピュータ本体６ａに設けられた電池などの電源４２により動作する電磁誘導波の送出手段４３と、前記センサ部６ｂとコンピュータ本体６ａとの間で送受信データを授受する送受信手段４４と、この送受信手段４４を介して前記センサ部６ｂから受信した送受信データに基づいて表示用データを生成する本体側演算手段４５と、前記表示用データを表示する表示手段４６とを備えている。
【００３０】
ここで、入力手段４１は図２に示した各操作ボタン２３ａ〜２３ｆであり、表示手段４６は同じく各表示部２２ａ〜２２ｃである。また、このコンピュータ本体６ａには、計測用の時計が内蔵されると共に、ユーザの心拍数計測器が設けられている。なお、心拍数計測器は、ユーザの身体に装着した心拍数計測部とコンピュータ本体６ａとをコードで接続するものでも良いし、センサ部６ｂと心拍数計測部とをコードで接続し、そのデータをセンサ部６ｂからコンピュータ本体６ａに転送するものでも良い。
【００３１】
前記電磁誘導波の送出手段４３は、いわゆる非接触ＩＣカードとして知られるＲＦＩＤ（無線タグ）の技術分野において、リーダーライター（質問器）に組み込まれているもので、例えば１３．５６ＭＨｚの搬送波を発生する水晶発振器、搬送波の増幅器、アンテナから構成される。前記センサ部６ｂとの間で送受信データを授受する送受信手段４４は、前記電磁誘導波の送出手段４３と別途に構成した送受信機でも良いが、本実施形態では、電子誘導波の送出手段４３に使用される搬送波を送受信データによって変調し、変調された信号をアンテナから電磁界として放出することで、前記電磁誘導波の送出手段４３とその一部を共用している。
【００３２】
送受信データに基づいて表示用データを生成する本体側演算手段４５は、センサ部６ｂから受信した車輪やクランクの回転数やその積算値と、コンピュータ本体６ａが内蔵する時計やコンピュータ本体６ａに別途接続した心拍数計測器などから得られたデータとに基づいて、自転車の走行距離、速度、ケイデンス、心拍数、疲労度などの表示データを生成するためのソフトウェアやそれをロードするメモリ、演算を実行するＣＰＵによって形成されている。また、この本体側演算手段４５には、前記入力手段４１及び表示手段４６が接続され、入力手段４１からの制御コマンドやデータを受け付けたり、演算結果として得られた表示データを表示手段４６に表示するように構成されている。
【００３３】
（５）センサ部のブロック回路図
図４は、センサ部６ｂの構成を示すブロック図である。このセンサ部６ｂは、コンピュータ本体６ａが発した電磁誘導波を電力に変換する検波手段５１と、計測対象箇所の出力を検出する検出手段５２と、前記検波手段５１の出力する電力を電源として前記検出手段５２から出力を送受信データに変換するセンサ部側演算手段５３と、前記検波手段５１の出力する電力を電源として前記センサ部６ｂとコンピュータ本体６ａとの間で送受信データを授受する送受信手段５４を備えている。さらに、前記センサ部６ｂは、不揮発性メモリによる記憶手段５５と、該記憶手段５５の内容を更新する書き換え手段５６と、該記憶手段５５の内容を読み出す読み出し手段５７とが設けられている。
【００３４】
前記検波手段５１は、一般的な非接触ＩＣカードのカード側に組み込まれているものと同様なものであって、例えば、電磁誘導波を取り込むコイル、このコイルに誘起された電流の整流・平滑回路、供給電圧を一定値に制御するバイパス回路、及びこれらの回路と前記検出手段５２〜読み出し手段５７などの負荷を接続する電気回路などから構成されている。
【００３５】
本実施形態において、計測対象箇所の出力を検出する検出手段５２は、自転車１の車輪２または３やクランク部７に取り付けたマグネット４，８の通過を検出するリードスイッチ５，９である。また、センサ部６ｂに心拍数検出器を接続した場合には、それも検出手段５２の１つである。
【００３６】
センサ部側演算手段５３は、前記コンピュータ本体６ａに設けられた本体側演算手段４５と同様に、各検出手段５２によって検出された信号を送受信データに変更したり、書き換え手段５６と読み出す読み出し手段５７を制御して、記憶手段５５の内容を更新したり、記憶手段５５から車輪径などの必要なデータを読み出す処理も実行するためのソフトウェアやそれをロードするメモリ、演算を実行するＣＰＵによって形成されている。
【００３７】
なお、センサ部６ｂの演算手段５３と前記コンピュータ本体６ａの演算手段４５とは、検出手段５２によって得られた信号をユーザが希望する表示データに処理するに当たって、データの処理速度や設計上の優位性に従ってその役割を自在に設定することができる。例えば、センサ部６ｂの演算手段５３は、検出手段５２を構成するリードスイッチによって得られたパルスの積算値のみを計算するものでも良いし、予め記憶しておいた車輪径と前記パルスの積算値とから走行距離を算出するものでも良く、それに対応して、コンピュータ本体６ａ側の演算手段４５の処理も変わってくる。
【００３８】
前記送受信手段５４は、前記コンピュータ本体６ａの送受信手段４４と同様に、電力を生成する検波手段５１とは別途に設けても良いが、本実施形態では、負荷となる抵抗や容量をオン・オフしてセンサ部６ｂ側のコイルに流れる電流を変化させる負荷変調回路を利用する。これにより、コンピュータ本体６ａ側の送受信手段４４に設けたアンテナがセンサ部６ｂのコイルから発せられる反磁界の変動を検出し、センサ部６ｂからのデータを受信することができる。
【００３９】
前記記憶手段５５、書き換え手段５６及び読み出す読み出し手段５７は、センサ部６ｂがその検出手段５２において検出した各種のデータを保存したり、センサ部６ｂにコンピュータ本体６ａをセットした場合に、コンピュータ本体６ａから入力された各種のデータ（例えば、センサ部６ｂを取り付けた自転車に関する車輪径、使用日時、走行距離、ユーザ名など）を保存しておき、センサ部６ｂに改めてコンピュータ本体６ａをセットした場合に、前記記憶手段５５からそのデータを呼び出すものである。これにより、異なった自転車に取り付けられたセンサ部６ｂに対してコンピュータ本体６ａをセットするごとに、その自転車に合わせたデータを改めて入力する必要がなくなる。
（６）実施形態の作用
前記のような構成を有する本実施形態の可搬型コンピュータの作用は次の通りである。すなわち、自転車の走行をスタートさせたい場合、ユーザは予め設定されていた操作ボタンの１つを選択し操作することにより、コンピュータ本体６ａを稼働状態に設定し、センサ部６ｂに収容する。稼働状態となったコンピュータ本体６ａは、内蔵電源４２により作動する電磁誘導波送出手段４３を使用して電磁誘導波を発信し、この電磁誘導波によりセンサ部６ｂに対して車輪径データの問い合わせコマンドを送出し続ける。
【００４０】
センサ部６ｂは、コンピュータ本体６ａが出力するこの定期的な誘導波を検波手段５１が検波することで、動作電力を得る。車輪径の問い合わせコマンドを受信したセンサ部６ｂは、その内部に設けられた演算手段が、記憶手段５５である不揮発性メモリに書き込まれているデータを呼び出し、送受信手段５４を構成する負荷変調回路を切り換え、コイル負荷を変動させることで、コンピュータ本体６ａへデータを送信する。なお、車輪径の問い合わせ手順は、他に、コンピュータ本体６ａがデータテーブルを持ち、センサ部６ｂの記憶手段５４がこのデータテーブルに対応した番号を記憶することでも実現可能である。
【００４１】
車輪径データを受信したコンピュータ本体６ａは、その送受信手段４４を介して計測開始コマンドをセンサ部６ｂに対して送信する。以降、コンピュータ本体６ａは、センサ部６ｂからの応答がある限り、センサ部６ｂに対し車輪回転検出用リードスイッチ５および、クランク回転検出用リードスイッチ９の単位時間における開閉回数の積算値の問い合わせを行う。
【００４２】
コンピュータ本体６ａは、この積算値を元に走行距離，走行スピード，ケイデンス等の表示内容を表示部２２ａ〜２２ｃに表示する。コンピュータ本体６ａをセンサ部６ｂに取り付けることによって操作困難となる表示内容の操作ボタン２３ａ〜２３ｄは、センサ部３ｂに設けられた操作ボタン３５ａ〜３５ｄを押圧することで、外部拡張される。コンピュータ本体６ａは、操作ボタン３５ａ〜３５ｄの操作状態を定期的にセンサ部６ｂに対して問い合わせを行い、操作ボタンの押下を検出した場合、表示部２２ａ〜２２ｃの表示内容を変更表示する。
【００４３】
前記のような構成を有する本実施形態によれば、コンピュータ本体６ａとセンサ部６ｂとが着脱自在に構成されると共に、センサ部６ｂはコンピュータ本体６ａから無接触で電源が供給されるので、センサ部６ｂにおける電池切れなどの心配が解消される。また、センサ部６ｂを自転車ごとに用意しておけば、コンピュータ本体６ａを持ち運んでセットするだけで、センサ部６ｂ側に用意されたデータをそのまま利用して、各種のデータを演算子表示することが可能になる。
【００４４】
（７）他の実施形態
本発明は、前記のような実施形態に限定されるものではなく、その用途は、サイクルコンピュータに限らず、測定対象箇所側に設けるセンサ部にコンピュータ本体側から非接触で電力を供給する他の用途の可搬型コンピュータ全般に使用することができる。
【図面の簡単な説明】
【００４５】
【図１】本発明の可搬型コンピュータを自転車に取り付けた状態を示す側面図。
【図２】本発明の可搬型コンピュータの一実施形態を示す平面図。
【図３】本発明におけるコンピュータ本体の回路構成の一例を示すブロック回路図。
【図４】本発明におけるセンサ部の回路構成の一例を示すブロック回路図。
【図５】従来のサイクルコンピュータを自転車に取り付けた状態を示す側面図。
【符号の説明】
【００４６】
１…自転車
２…前輪
３…後輪
４…マグネット
５…リードスイッチ
６…サイクルコンピュータ
６ａ…コンピュータ本体
６ｂ…センサ部
７…クランク部
８…マグネット
９…リードスイッチ
１０…ケーブル
２１…バンド
２２ａ〜２２ｃ…表示部
２３ａ〜２３ｆ…操作ボタン
３１…収容部
３２…蓋
３３…ヒンジ部
３４…フック部
３５ａ〜３５ｄ…操作ボタン
４１…入力手段
４２…電源
４３…電磁誘導波送出手段
４４…送受信手段
４５…本体側演算手段
４６…表示手段
５１…検波手段
５２…検出手段
５３…センサ部側演算手段
５４…送受信手段
５５…記憶手段
５６…書き換え手段
５７…読み出し手段
【図１】
2007099034.tif 000003
【図２】
2007099034.tif 000004
【図３】
2007099034.tif 000005
【図４】
2007099034.tif 000006
【図５】
2007099034.tif 000007